(57)【要約】【課題】複数の入力系統からデータが入力されるデジタル信号処理回路において、クロック生成装置を設けることなく入力データを切り替えることを実現して、コストの低減を図り、煩雑な部品調達の手間を省く。【解決手段】オーディオシステム１００のシステムコントローラ１０は、ＭＤ１への音声データの記録処理中に、記録を停止すべき状態であると判断した場合に、ＭＤデジタル信号処理回路８への音声データの入力系統がＩ２Ｓであれば、ＭＤ１の記録を停止し、セレクタ８ｆによりに入力系統をＩ２ＳからＳＰＤＩＦに切り替えてからＣＤ１５の再生を停止する。【選択図】          図１
2004152339.tif 000002
【特許請求の範囲】
【請求項１】
クロック信号を含むデータ及びデジタルデータを含む複数の入力データを選択的に切り替えてデジタル信号処理回路に入力させるデジタル信号処理回路の入力切替方法において、
前記複数の入力データの切替え動作が終了するまでの間、前記クロック信号を含むデータの入力を継続させることを特徴とするデジタル信号処理回路の入力切替方法。
【請求項２】
前記クロック信号を含むデータはＩ２Ｓフォーマットのデータであることを特徴とする請求項１記載のデジタル信号処理回路の入力切替方法。
【請求項３】
クロック信号を含むデータ又はデジタルデータの何れかを選択的に入力させるセレクタを有する第１のデジタル信号処理回路と、前記第１のデジタル信号処理回路に前記クロック信号を含むデータを供給する第２のデジタル信号処理回路と、を備えたデータ記録再生装置において、
前記セレクタの切替え動作が終了するまでの間、前記第２のデジタル信号処理回路による前記クロック信号を含むデータの供給を継続させることを特徴とするデータ記録再生装置。
【請求項４】
第１のデジタル信号処理回路と、記録媒体に情報を記録する記録手段と、クロック信号を含むデータを前記第１のデジタル信号処理回路に供給する第２のデジタル信号処理回路と、制御手段とを備えたデータ記録再生装置において、
前記第１のデジタル信号処理回路は、
複数の入力データを選択的に切り替えて入力するセレクタを備え、
前記セレクタを介して前記第２のデジタル信号処理回路から入力されたデータに含まれる前記クロック信号に従って動作するとともに、前記データを前記記録手段に出力し、
前記記録手段は、前記第１のデジタル信号処理回路から入力されたデータを前記記録媒体に記録し、
前記制御手段は、
前記記録手段を制御して記録処理を終了させ、前記第１のデジタル信号処理回路の前記セレクタを制御して前記第２のデジタル信号処理回路以外の入力系統から供給される入力データを前記第１のデジタル信号処理回路に入力させ、入力データの切替え終了後に前記第２のデジタル信号処理回路を制御して前記クロック信号を含むデータの供給を停止させることを特徴とするデータ記録再生装置。
【請求項５】
前記クロック信号を含むデータはＩ２Ｓフォーマットのデータであることを特徴とする請求項３又は４記載のデータ記録再生装置。
【発明の詳細な説明】
【０００１】
【発明の属する技術分野】
本発明は、デジタル信号処理回路の入力切替方法及びデータ記録再生装置に関する。
【０００２】
【従来の技術】
ＣＤ（Ｃｏｍｐａｃｔ  Ｄｉｓｃ）プレーヤやＭＤ（Ｍｉｎｉ  Ｄｉｓｋ）プレーヤ等のデータ記録再生装置には、デジタル信号処理回路（ＤＳＰ；Ｄｉｇｉｔａｌ  Ｓｉｇｎａｌ  Ｐｒｏｃｅｓｓｏｒ）が搭載されている。このデータ記録再生装置には、装置の内部及び外部の複数の入力系統からデータが供給される。これらの入力データをデジタル信号処理回路内に選択的に取り入れるためには、セレクタが必要である。このセレクタは、クロック信号に同期して動作する。
【０００３】
従来、複数の入力系統からデータが入力されるデジタル信号処理回路は、外部のクロック生成装置から供給されるクロック信号によって入力データの切替えを行っていた。このようなデジタル信号処理回路では、外部クロックの供給がなければ入力データを切り替えることができなかった。また、デジタル信号処理回路の仕様は、その製造者等により異なり、入力データを切り替えるためには仕様に応じたクロック信号を供給するクロック生成装置が必要であった。このため、デジタル信号処理回路を内蔵した装置を設計する場合、回路の仕様に適合したクロック信号を供給するデジタル信号処理回路とは独立した専用のクロック生成装置が設けられていた。
【０００４】
一方、デジタル信号処理回路とは独立したクロック生成装置を設けずに、クロック生成装置を内蔵したデジタル信号処理回路が発明されている（例えば、特許文献１）。このデジタル信号処理回路は、内蔵のクロック生成装置から供給されるクロックに従って動作することにより入力データを切り替える。
【０００５】
【特許文献１】
特開平９−１７９７３５号公報（第４−６頁、第１図）
【０００６】
【発明が解決しようとする課題】
しかしながら、従来のデジタル信号処理回路では、デジタル信号処理回路の入力データを切り替えるためには、デジタル信号処理回路の内部或いは外部にクロック生成装置を設ける必要があったため、部品点数が増え、コストが増加することが問題であった。またデジタル信号処理回路を内蔵した装置を設計する際に、回路の仕様に合ったクロック生成装置を用意する必要があり、部品調達が煩雑であった。
【０００７】
そこで本発明の課題は、クロック生成装置を設けることなく入力データを切り替えることができるデジタル信号処理回路の入力切替方法及びデータ記録再生装置を提供して、コストの低減を図り、煩雑な部品調達の手間を省くことである。
【０００８】
【課題を解決するための手段】
請求項１記載の発明は、
クロック信号を含むデータ及びデジタルデータを含む複数の入力データを選択的に切り替えてデジタル信号処理回路に入力させるデジタル信号処理回路の入力切替方法において、
前記複数の入力データの切替え動作が終了するまでの間、前記クロック信号を含むデータの入力を継続させることを特徴としている。
【０００９】
請求項２記載の発明は、請求項１記載の発明において、
前記クロック信号を含むデータはＩ２Ｓフォーマットのデータであることを特徴としている。
【００１０】
請求項３記載の発明は、
データ記録再生装置において、
クロック信号を含むデータ又はデジタルデータの何れかを選択的に入力させるセレクタを有する第１のデジタル信号処理回路と、前記第１のデジタル信号処理回路に前記クロック信号を含むデータを供給する第２のデジタル信号処理回路と、を備えたデータ記録再生装置において、
前記セレクタの切替え動作が終了するまでの間、前記第２のデジタル信号処理回路による前記クロック信号を含むデータの供給を継続させることを特徴としている。
【００１１】
請求項４記載の発明は、
第１のデジタル信号処理回路と、記録媒体に情報を記録する記録手段と、クロック信号を含むデータを前記第１のデジタル信号処理回路に供給する第２のデジタル信号処理回路と、制御手段とを備えたデータ記録再生装置において、
前記第１のデジタル信号処理回路は、
複数の入力データを選択的に切り替えて入力するセレクタを備え、
前記セレクタを介して前記第２のデジタル信号処理回路から入力されたデータに含まれる前記クロック信号に従って動作するとともに、前記データを前記記録手段に出力し、
前記記録手段は、前記第１のデジタル信号処理回路から入力されたデータを前記記録媒体に記録し、
前記制御手段は、前記記録手段を制御して記録処理を終了させ、前記第１のデジタル信号処理回路の前記セレクタを制御して前記第２のデジタル信号処理回路以外の入力系統から供給される入力データを前記第１のデジタル信号処理回路に入力させ、入力データの切替え終了後に前記第２のデジタル信号処理回路を制御して前記クロック信号を含むデータの供給を停止させることを特徴としている。
【００１２】
請求項５記載の発明は、請求項３又は４記載の発明において、
前記クロック信号を含むデータはＩ２Ｓフォーマットのデータであることを特徴としている。
【００１３】
【発明の実施の形態】
以下、図１及び図２を参照して、本発明を適用したオーディオシステム１００の一実施の形態について詳細に説明する。
【００１４】
まず、構成を説明する。
図１は、本発明を適用したオーディオシステム１００の機能的構成を示すブロック図である。図１に示すように、オーディオシステム１００は、ＭＤ１、スピンドルモータ２、光ピックアップ３、送りモータ４、記録ヘッド５、ヘッドドライバ６、ＲＦ（Ｒａｄｉｏ  Ｆｒｅｑｕｅｎｃｙ）アンプ７、ＭＤデジタル信号処理回路８、バッファメモリ９、システムコントローラ１０、操作部１１、表示部１２、ＣＤ１５、スピンドルモータ１６、光ピックアップ１７、送りモータ１８、ＲＦアンプ１９、ＣＤデジタル信号処理回路２０等により構成される。
【００１５】
図１に示すように、ＭＤデジタル信号処理回路８とＣＤデジタル信号処理回路２０は、Ｉ２Ｓ（ｔｈｅ  Ｉｎｔｅｒ−ＩＣ  Ｓｏｕｎｄ  ｂｕｓ）フォーマットのデータバスによって接続される。ＭＤデジタル信号処理回路８は、ＣＤデジタル信号処理回路２０からＩ２Ｓフォーマットのデータバスを介してＩ２Ｓ信号が入力される。また、ＭＤデジタル信号処理回路８は、ＳＰＤＩＦ（Ｓｏｎｙ／Ｐｈｉｌｉｐｓ  Ｄｉｇｉｔａｌ  ＩｎｔｅｒＦａｃｅ）フォーマットのデータバスを介して、図示しない複数の外部装置からＳＰＤＩＦ信号が入力される。
【００１６】
ここで、Ｉ２Ｓ信号及びＳＰＤＩＦ信号について説明する。
Ｉ２Ｓフォーマットのデータバスは、時分割多重化された音声データ（Ｄａｔａ）用のバス、ＬＲチャンネルを選択するＬＲクロック（ＬＲ−Ｃｌｏｃｋ）用のバス、クロックパルスであるＢｉｔクロック（Ｂｉｔ−Ｃｌｏｃｋ）用のバスの３ラインにより構成されるシリアルデータバスである。すなわち、Ｉ２Ｓ信号には、分離された音声データ、ＬＲクロック、Ｂｉｔクロックが含まれている。
【００１７】
一方、ＳＰＤＩＦフォーマットのデータバスは、上記Ｉ２Ｓとは異なり１ラインのシリアルバスであり、ＳＰＤＩＦ信号は、ブロック、フレーム（ステレオデータ）、サブフレーム（単音データ）という階層構造を有する。１フレームは、左チャンネル用と右チャンネル用の２つのサブフレームから構成される。更に、サブフレームは、左又は右チャンネルの音声データとプリアンブルから構成される。なお、プリアンブルとは、サブフレームとブロックの同期化と識別を行うためのパターンである。
【００１８】
以下、図１を参照してオーディオシステム１００の各構成部について説明する。
ＭＤ１は、データを書換え可能な光磁気ディスクであり、そのディスク表面には複数のトラックが螺旋状に形成されている。各トラックには、１曲分の音声データが記録される。また、ＭＤ１内の所定の内周トラックには、ＵＴＯＣ（ＵｓｅｒＴａｂｌｅ  Ｏｆ  Ｃｏｎｔｅｎｔｓ）情報が記録されている。ＵＴＯＣ情報には、ＭＤ１に記録されたトラック名（曲名）、記録時間、スタートアドレス、エンドアドレス、トラックモード等のインデックス情報が含まれる。ＭＤ１は、スピンドルモータ２により駆動され、ＭＤ１の記録時と再生時に光ピックアップ３によりレーザ光が照射される。
【００１９】
スピンドルモータ２は、システムコントローラ１０により線速度一定（Ｃｏｎｓｔａｎｔ  Ｌｉｎｅａｒ  Ｖｅｌｏｃｉｔｙ）制御され、ＭＤ１の記録・再生時に光ピックアップ３の位置に応じてＭＤ１を回転駆動する。
【００２０】
光ピックアップ３は、レーザダイオードや偏光ビームスプリッタ、対物レンズ、反射光を検出するためのディテクタ等（何れも図示省略）を備える。この光ピックアップ３はディスク径方向及びＭＤ１に接離する方向に変位可能に保持されており、ＭＤデジタル信号処理回路８内のサーボコントローラ８ａの制御によりその変位が制御される。光ピックアップ３は、再生時にＭＤ１に対して比較的低レベルのレーザ光を照射し、磁気カー効果により記録トラックから反射する反射光に基づく情報を検出して、検出した情報をＲＦアンプ７に供給する。一方、記録時には、ＭＤ１に比較的高レベルのレーザを照射して、ＭＤ１の記録トラックをキュリー温度まで過熱する。
【００２１】
送りモータ４は、光ピックアップ３と記録ヘッド５をＭＤ１の半径方向に移動させる。
【００２２】
記録ヘッド５は、ＭＤ１を挟んで光ピックアップ３と対向する位置に配置されており、ヘッドドライバ６から供給される音声データに応じた駆動信号にしたがって動作し、ＭＤ１のディスク記録面のレーザ加熱部に磁場を印加して垂直磁化を行う。これにより、ＭＤ１に音声データが記録される。
【００２３】
ヘッドドライバ６は、サーボコントローラ８ａから供給されるエンコード処理された記録用の音声データに応じて、磁気ヘッド５に駆動信号を供給する。
【００２４】
ＲＦアンプ７は、再生時に光ピックアップ３から供給された情報を演算処理することにより、再生ＲＦ信号、トラッキングエラー信号、フォーカスエラー信号、グループ情報等を抽出する。グループ情報には、ＭＤ１にプリグルーブ（予め記録された案内溝）として記録されている絶対位置情報（以下、ＡＤＩＰという）が含まれる。
【００２５】
ＲＦアンプ７により抽出された再生ＲＦ信号には、ＵＴＯＣ情報やＡＴＲＡＣ（Ａｄａｐｔｉｖｅ  Ｔｒａｎｓｆｏｒｍ  Ａｃｏｕｓｔｉｃ  Ｃｏｄｉｎｇ）情報が含まれている。再生ＲＦ信号は、ＭＤデジタル信号処理回路８のＥＦＭデコーダ８ｃに供給され、トラッキングエラー信号及びフォーカスエラー信号は、サーボ８ａに供給される。また、ＵＴＯＣ情報はシステムコントローラ１０に供給される。
一方、ＡＤＩＰ情報は、ＲＦアンプ７からＡＤＩＰデコーダ８ｂに供給されてデコードされた後、システムコントローラ１０に供給され、光ピックアップ３のＭＤ１に対する読取位置の制御に供される。
【００２６】
ＭＤデジタル信号処理回路８は、サーボコントローラ８ａ、ＡＤＩＰデコーダ８ｂ、ＥＦＭデコーダ８ｃ、ＡＴＲＡＣデコーダ・エンコーダ８ｄ、ショックプルーフメモリコントローラ８ｅ、セレクタ８ｆ、セレクタ８ｇ等を備えて構成される。
【００２７】
サーボコントローラ８ａは、ＲＦアンプ７から供給されたトラッキングエラー信号、フォーカスエラー信号、システムコントローラ１０からのトラックジャンプ指令、アクセス指令、送りモータ４からのモータ回転速度検出情報等により、各種サーボ駆動信号を発生させ、送りモータ４及び光ピックアップ３を駆動制御し、フォーカス制御及びトラッキング制御を行う。また、サーボコントローラ８ａは、ＡＴＲＡＣデコーダ・エンコーダ８ｄによりエンコードされた記録用の音声データをヘッドドライバ６に供給する。
【００２８】
ＡＤＩＰデコーダ８ｂは、ＲＦアンプ７から入力されるＡＤＩＰ情報をデコードしてアドレス情報を抽出する。ＡＤＩＰデコーダ８ｂは、デコードしたアドレス情報をシステムコントローラ１０に供給する。
【００２９】
ＥＦＭデコーダ８ｃは、ＲＦアンプ７から供給された再生ＲＦ信号を解析した後、エラー訂正し、伸張処理を施してデジタル音声信号であるＡＴＲＡＣ情報及びＵＴＯＣ情報を生成して、ショックプルーフメモリコントローラ８ｅに供給する。
【００３０】
ＡＴＲＡＣデコーダ・エンコーダ８ｄは、ショックプルーフメモリコントローラ８ｅによりバッファメモリ９から読み出されて供給されるＡＴＲＡＣ情報を記録モード（例えば、ステレオ、モノラル、ＬＰ２、ＬＰ４）に対応させて伸張処理し、デジタル音声データ形式にデコードした後、Ｉ２Ｓ信号を生成する。このＩ２Ｓ信号は、図示しないＤ／Ａコンバータに供給され、アナログ音声データに変換された後、出力端子等の出力先に出力される。例えば、Ｌ／Ｒアナログオーディオデータとして出力される。
【００３１】
また、ＡＴＲＡＣデコーダ・エンコーダ８ｄは、セレクタ８ｇからＩ２Ｓ信号が入力されると、Ｉ２Ｓ信号に含まれたＢｉｔクロックに従って、Ｉ２Ｓ信号に含まれたＬＲクロックに応じた左右チャンネルの音声データをＡＴＲＡＣ情報にエンコードした後、サーボコントローラ８ａに供給する。一方、セレクタ８ｇによりＳＰＤＩＦ信号が入力されると、ＳＰＤＩＦ信号に含まれたプリアンブルに基づいて左右チャンネルの音声データをＡＴＲＡＣ情報にエンコードした後、サーボコントローラ８ａに供給する。
【００３２】
ショックプルーフメモリコントローラ８ｅは、ＥＦＭデコーダ８ｃにより提供されるＡＴＲＡＣ情報を一旦バッファメモリ９に蓄積するとともに、バッファメモリ９に蓄積されたＡＴＲＡＣ情報を所定タイミングで読み出し、ＡＴＲＡＣデコーダ・エンコーダ８ｄに供給する。
【００３３】
セレクタ８ｆは、システムコントローラ１０による指示に従い、セレクタ８ｇを介してオーディオシステム１００の外部からＭＤデジタル信号処理回路８に入力されるＳＰＤＩＦ信号、又はＣＤデジタル信号処理回路２０から入力されるＩ２Ｓ信号の何れかをＲＦアンプ７に供給する。セレクタ８ｆは、Ｉ２Ｓ信号に含まれたＢｉｔクロックに応じたタイミングでＩ２Ｓ信号をＡＴＲＡＣデコーダ・エンコーダ８ｄに供給する。
【００３４】
セレクタ８ｇは、システムコントローラ１０の指示に従い、複数の図示しない外部装置から入力されるＳＰＤＩＦ信号の何れかを選択する。また、セレクタ８ｇは、図示しないＰＬＬ（Ｐｈａｓｅ  Ｌｏｃｋ  Ｌｏｏｐ）回路を備えており、選択したＳＰＤＩＦ信号をＰＬＬ回路により処理して、セレクタ８ｆに供給する。
【００３５】
バッファメモリ９は、ＥＦＭデコーダ８ｃによりデコードされたＡＴＲＡＣ情報を一時的に蓄積する。
【００３６】
システムコントローラ１０は、オーディオシステム１００の各部を制御するマイコンであり、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備える。ＣＰＵは、操作部１１から入力される指示に従ってＲＯＭに記憶された制御プログラムを読み出し、ＲＡＭのワークメモリに展開して当該制御プログラムに従った動作を実行し、オーディオシステム１００の各部を制御する。制御プログラムには記録処理プログラムや記録停止処理プログラム等が含まれており、ＣＰＵはこれらのプログラムをＲＯＭから読み出して後述する記録処理や記録停止処理を実行する。また、システムコントローラ１０は、ＡＤＩＰデコーダ８ｂから供給されるアドレス情報を利用して、光ピックアップ３のＭＤ１に対する読取位置を制御する。
【００３７】
システムコントローラ１０は、記録処理において、操作部１１からの入力によりＭＤ１への音声データの記録が指示されると、ＣＤ１５又は図示しない外部装置からの音声データの再生を一時停止状態にする。次に、ＭＤデジタル信号処理回路８のセレクタ８ｆ及び８ｇを制御して音声データの入力系統（Ｉ２Ｓ／ＳＰＤＩＦ）を設定する。次に、ＭＤ１への記録を一時停止状態にして、ＭＤ１の状態が安定すると、ＭＤ１の記録を開始させると同時にＣＤ１５又は外部装置からの音声データの再生を開始させる。そして、後述する記録停止処理を実行した後、記録処理を終了する。
【００３８】
システムコントローラ１０は、記録停止処理において、記録を停止すべき状態になると、オーディオシステム１００の各部を制御してＭＤ１への音声データの記録処理を終了させる。ここで、記録を停止すべき状態とは、操作部１１から記録停止の指示が入力された場合、ＣＤ１５の再生が終了又は外部装置からの音声データの入力が終了した場合、ＭＤ１の残り記録時間がなくなった場合等である。
システムコントローラ１０は、記録を停止する状態になると、ＭＤデジタル信号処理回路８への入力系統がＩ２Ｓであれば、ＭＤ１の記録を停止させ、セレクタ８ｆにより入力系統をＩ２ＳからＳＰＤＩＦに切り替えた後、ＣＤ１５の再生を停止する。
【００３９】
すなわち、システムコントローラ１０は、ＣＤ１５の再生によりＭＤデジタル信号処理回路８に入力されるＩ２Ｓ信号に含まれるＢｉｔクロックをセレクタ８ｆに供給することにより、セレクタ８ｆが入力系統を切り替えることを可能にする。
【００４０】
操作部１１は、再生キー、停止キー、サーチキー等の各種入力キーを備え、その押下信号をシステムコントローラ１０に供給する。なお、サーチキーは、「早送り」又は「巻き戻し」の動作を指示を入力する。
【００４１】
表示部１２は、液晶ディスプレイ等により構成され、システムコントローラ１から入力される表示信号に基づいて、ＭＤ１又はＣＤ１５の再生又は記録中に所要の表示動作を行う。例えば、再生中のトラック番号、動作状態（早送り、巻き戻し、録音等）、記録モード等を表示する。
【００４２】
ＣＤ１５は、再生専用の光ディスクである。そのディスク表面には１本のトラックがディスクの中心に向かって螺旋状に形成されている。トラックには、ＴＯＣ（Ｔａｂｌｅ  Ｏｆ  Ｃｏｎｔｅｎｔｓ）情報が記録されたリードイン領域、音声データが記録されたデータ領域、音声データが記録された領域の終わりを示す情報が記録されたリードアウト領域が存在する。ＴＯＣ情報には、音声データの記録順、曲名、曲ごとの記録時間等が含まれる。ＣＤ１５はスピンドルモータ１６により駆動され、再生時に光ピックアップ１７によりレーザ光が照射される。
【００４３】
スピンドルモータ１６は、システムコントローラ１０により線速度一定制御され、再生時に光ピックアップ１７の位置に応じてＣＤ１５を回転駆動する。
【００４４】
光ピックアップ１７は、レーザダイオードや偏光ビームスプリッタ、対物レンズ、反射光を検出するためのディテクタ等（何れも図示省略）を備え、再生時にＣＤ１５にレーザ光を照射する。この光ピックアップ１７はディスク径方向及びＣＤ１５に接離する方向に変位可能に保持されており、ＣＤデジタル信号処理回路２０内のサーボコントローラ２０ａの制御によりその変位が制御される。また、光ピックアップ１７は、送りモータ１８によりＣＤ１５の半径方向に移動される。
【００４５】
送りモータ１８は、光ピックアップ１７をＣＤ１５の半径方向に移動させる。
【００４６】
ＲＦアンプ１９は、ＣＤ１５の再生時に光ピックアップ１７から供給される情報を演算処理し、再生ＲＦ信号、トラッキングエラー信号、フォーカスエラー信号を抽出する。ＲＦアンプ１９により抽出されたＲＦ再生信号には、ＴＯＣ情報やＩ２Ｓ信号が含まれる。ＲＦアンプ１９により抽出されたＲＦ再生信号はＣＤデジタル信号処理回路２０のＥＦＭデコーダに供給される。なお、ＲＦアンプ１９は、システムコントローラ１０からミュート指示が入力されると、ミュートしたＲＦ再生信号をＥＦＭデコーダ２０に供給する。また、トラッキングエラー信号及びフォーカスエラー信号は、ＣＤデジタル信号処理回路２０のサーボ２０ａに供給される。
【００４７】
ＣＤデジタル信号処理回路２０は、サーボコントローラ２０ａ、ＥＦＭデコーダ２０ｂ等を備えて構成される。
【００４８】
サーボコントローラ２０ａは、ＲＦアンプ１９から供給されたトラッキングエラー信号、フォーカスエラー信号、システムコントローラ１０からのトラックジャンプ指令、アクセス指令、送りモータ４からのモータ回転速度検出情報等により、各種サーボ駆動信号を発生させ、送りモータ１８及び光ピックアップ１７を駆動制御し、フォーカス制御及びトラッキング制御を行う。
【００４９】
ＥＦＭデコーダ２０ｂは、ＲＦアンプ１９から供給された再生ＲＦ信号を解析した後、エラー訂正し、伸張処理を施して、ＴＯＣ情報とデジタル音声信号とを抽出する。また、ＥＦＭデコーダ２０ｂは、抽出したデジタル音声信号をＩ２Ｓフォーマットに変換してＩ２Ｓ信号を生成する。なお、システムコントローラ１０からミュート指示が入力されると、ＥＦＭデコーダ２０ｂはデジタル音声データをゼロデータに変換してＩ２Ｓ信号を生成する。
Ｉ２Ｓ信号は、ＭＤ１へのデータ記録時にはＭＤデジタル信号処理回路８のセレクタ８ｆに供給され、再生時には図示しないＤ／Ａコンバータに供給されてアナログ音声データに変換された後、出力端子等の出力先に出力される。また、ＴＯＣ情報はシステムコントローラ１０に供給される。
【００５０】
次に、動作を説明する。
なお、図２のフローチャートに記述されている各機能を実現するためのプログラムは、読み取り可能なプログラムコードの形態でシステムコントローラ１０内のＲＯＭ（図示省略）に格納されており、システムコントローラ１０は、このプログラムコードに従った動作を逐次実行する。また、オーディオシステム１００に外部機器と接続するためのインターフェイスを設けて、外部機器から供給されるプログラムやデータを利用してオーディオシステム１００特有の動作を実行することとしてもよい。
【００５１】
図２は、システムコントローラ１０により実行される記録停止処理を示すフローチャートである。図２に示す記録停止処理において、システムコントローラ１０は、ＭＤ１への記録を停止すべき状態であるか否かを判別し（ステップＳ１０１）、停止すべき状態ではないと判断すると（ステップＳ１０１；ＮＯ）、待機を続ける。一方、システムコントローラ１０は、ＭＤ１への記録を停止すべき状態であると判断すると（ステップＳ１０１；ＹＥＳ）、再生出力をミュートさせ（ステップＳ１０２）、ステップＳ１０３に移行する。
【００５２】
ここで、上記ステップＳ１０２において再生出力をミュートする方法としては、図示しないＩ２Ｓ後段のＤ／Ａコンバータから出力されるアナログ信号をミュートさせる回路を設ける方法（アナログミュート）と、ＣＤデジタル信号処理回路２０のＥＦＭデコーダ２０ｂを制御してゼロデータのデジタル音声データを含むＩ２Ｓ信号をＭＤデジタル信号処理回路８に出力させる方法（デジタルミュート）がある。
【００５３】
ステップＳ１０３において、システムコントローラ１０は、ＭＤデジタル処理回路８への音声データの入力系統がＩ２ＳであるかＳＰＤＩＦであるかを判別し、ＳＰＤＩＦ信号が入力されている場合には（ステップＳ１０３；ＳＰＤＩＦ）、ＭＤ１へのデータ記録を停止させて（ステップＳ１０４）、ステップＳ１０７に移行する。
【００５４】
一方、システムコントローラ１０は、Ｉ２Ｓ信号がＭＤデジタル信号処理回路８に入力されている場合には（ステップＳ１０３；Ｉ２Ｓ）、ＭＤ１へのデータの記録を停止させた後（ステップＳ１０５）、セレクタ８ｆを制御して入力系統をＩ２ＳからＳＰＤＩＦに切り替えさせる（ステップＳ１０６）。次いで、システムコントローラ１０は、ＣＤ１５の再生を停止させて（ステップＳ１０７）、記録停止処理を終了する。
【００５５】
以上説明したように、オーディオシステム１００のシステムコントローラ１０は、ＭＤ１への音声データの記録処理中に、記録を停止すべき状態であると判断した場合に、ＭＤデジタル信号処理回路８への音声データの入力系統がＩ２Ｓであれば、ＭＤ１の記録を停止し、セレクタ８ｆによりに入力系統をＩ２ＳからＳＰＤＩＦに切り替えてからＣＤ１５の再生を停止する。
【００５６】
したがって、Ｉ２Ｓ信号に含まれたＢｉｔクロックをＭＤデジタル信号処理回路８に供給することによりＭＤデジタル信号処理回路８への音声データの入力系統を切り替えることができ、従来入力系統の切替えに要していたクロック生成装置が不要となる。したがって、部品点数を減らしてコストを低減することができる。また、デジタル信号処理回路８の仕様に適合したクロック生成装置を調達するために要していた手間を省くことができる。
【００５７】
更に、従来のオーディオシステムの設計を大幅に変更する必要がないため、オーディオシステム１００を簡単に構成することが可能である。
【００５８】
なお、本発明は、上記各実施の形態に限定されるものではない。例えば、上記の各実施の形態では、ＭＤデジタル信号処理回路８への入力系統として、Ｉ２Ｓの他にＳＰＤＩＦを挙げて説明したが、入力系統のフォーマットはＳＰＤＩＦに限定されない。
【００５９】
また、図１に示す例では、ＭＤデジタル信号処理回路８に２つのセレクタ８ｆ，８ｇを設け、セレクタ８ｇが複数の入力系統から入力されるＳＰＤＩＦ信号を選択し、更にセレクタ８ｆがセレクタ８ｇで選択されたＳＰＤＩＦ信号又はＣＤデジタル信号処理回路２０から入力されるＩ２Ｓ信号の何れかを選択することとしたが、ＳＰＤＩＦ信号の入力系統が１つであれば、セレクタを１つにしてＳＰＤＩＦ信号又はＩ２Ｓ信号のどちらかを選択するように構成することもできる。
【００６０】
この他、本発明を適用したオーディオシステム１００の細部構成、および詳細動作に関しても、本発明の趣旨を逸脱しない範囲で適宜変更可能である。
【００６１】
【発明の効果】
本発明によれば、複数の入力系統からデータが入力されるデジタル信号処理回路において、入力切替用のクロック生成装置を使用せずに入力データを切り替えることができるため、クロック生成装置が不要となり、部品点数を減らしてデジタル信号処理回路やこれを内蔵する装置の製造コストを低減するとともに、煩雑な部品調達の手間を省くことができる。
【図面の簡単な説明】
【図１】本発明を適用した一実施の形態によるオーディオシステム１００の機能的構成を示すブロック図である。
【図２】図１のシステムコントローラ９により実行される記録停止処理を示すフローチャートである。
【符号の説明】
１  ＭＤ
２  スピンドルモータ
３  光ピックアップ
４  送りモータ
５  記録ヘッド
６  ヘッドドライバ
７，１９  ＲＦアンプ
８  ＭＤデジタル信号処理回路
８ａ，２０ａ  サーボコントローラ
８ｂ  ＡＤＩＰデコーダ
８ｃ，２０ｂ  ＥＦＭデコーダ
８ｄ  ＡＴＲＡＣデコーダ・エンコーダ
８ｅ  ショックプルーフメモリコントローラ
８ｆ，８ｇ  セレクタ
９  バッファメモリ
１０  システムコントローラ
１１  操作部
１２  表示部
１５  ＣＤ
１６  スピンドルモータ
１７  光ピックアップ
１８  送りモータ
２０  ＣＤデジタル信号制御回路
１００  オーディオシステム
【図１】
2004152339.tif 000003
【図２】
2004152339.tif 000004